(57)【要約】【課題】食器洗い機の排水ホースが有する必要な機能であるフレキシブル性を損なうことなく、耐油性が向上した排水ホースを有する食器洗い機を提供する。【解決手段】食器類５を収納する洗浄槽１と、洗浄槽１内に配した洗浄ノズル４と、洗浄ノズル４に洗浄水を圧送する洗浄ポンプ８と、洗浄水の加熱及び食器類５の乾燥を行うためのヒータ７と、洗浄槽内の洗浄水等を機外に排出する為の排水ポンプ９とこれに接続される排水ホース１０を備え、前記排水ホース１０を内側が耐油性が高く且つ薄い樹脂製で、外側がある程度の肉厚のある弾性を有するエラストマー製の２層から成る構成にしたことにより、フレキシブル性を損なうことなく、耐油性が向上した排水ホースを有する食器洗い機を実現することができる。【選択図】図１
2012019974.tif 000002
【特許請求の範囲】
【請求項１】
食器類を収納する洗浄槽と、前記洗浄槽内に配され前記食器類に洗浄水を噴射する洗浄ノズルと、前記洗浄ノズルに洗浄水を圧送する洗浄ポンプと、洗浄水の温水化及び前記食器類の乾燥を行うためのヒータと、前記洗浄槽内の洗浄水を機外に排出するための排水ポンプと、前記排水ポンプの吐出側に接続される排水ホースとを備え、前記排水ホースを内側が耐油性が高く且つ薄い樹脂製で、外側がある程度の肉厚のある弾性を有するエラストマー製の２層から成る構成とした食器洗い機。
【発明の詳細な説明】
【技術分野】
【０００１】
本発明は食器類の洗浄及び乾燥を行う食器洗い機に関するものである。
【背景技術】
【０００２】
食器洗い機は、給水ホースと排水ホースとが接続されて使用されるが、特にシステムキッチンに装着されるビルトインタイプの食器洗い機では、給水ホースと排水ホースの接続部をコンパクトに構成するようになっている（例えば、特許文献１参照）。
【０００３】
図３は、上記特許文献１に記載されている食器洗い機を示したもので、以下その構成について説明する。食器洗い機本体７１の背面７２上方に給水ホース７４、給水弁７５と排水ホース７６とが配置され、給水ホース７４から給水弁７５を介して洗浄槽内に給水するとともに、食器洗い機本体７１の底部に設けられた排水ポンプ７３に接続された排水ホース７６から機外へ排水する構造が示されている。
【先行技術文献】
【特許文献】
【０００４】
【特許文献１】特開２００３−２１０３７８号公報
【発明の概要】
【発明が解決しようとする課題】
【０００５】
しかしながら、上記特許文献１に記載されている食器洗い機では、排水運転終了後に排水ホース７６内に残水が溜まったままになるということもあり、サラダ油等の食用油が多量に付着した食器類を頻繁に洗う家庭などでは、油による酸化劣化により排水ホース７６に破れが発生するという問題があった。
【０００６】
本発明は、上記従来の課題を解決するもので、食器洗い機の排水ホースにとって必要な機能であるフレキシブル性を損なうことなく、耐油性が優れた排水ホースを有する耐久性の向上が図れる食器洗い機を提供することを目的としている。
【課題を解決するための手段】
【０００７】
本発明は上記目的を達成するために、内側が耐油性が高く且つ薄い樹脂製で、外側がある程度の肉厚のある弾性を有するエラストマー製の２層から成る排水ホースを有した食器洗い機である。
【０００８】
これにより、食器洗い機に使用する排水ホースとして必要なフレキシブル製を損なうことなく、サラダ油等による酸化劣化による排水ホースの破れ等の発生をなくすることができる。
【発明の効果】
【０００９】
本発明の食器洗い機は、食器洗い機の排水ホースにとって必要な機能であるフレキシブル性を損なうことなく、耐油性が向上した排水ホースを有し、サラダ油等による酸化劣化による排水ホースの破れ等の発生がなく耐久性を向上させた食器洗い機を実現することができる。
【図面の簡単な説明】
【００１０】
【図１】本発明の実施の形態１の食器洗い機の側断面図
【図２】同食器洗い機の排水ホースの断面斜視図
【図３】（ａ）従来の食器洗い機の断面図（ｂ）同食器洗い機の背面斜視図
【発明を実施するための形態】
【００１１】
第１の発明は、食器類を収納する洗浄槽と、前記洗浄槽内に配され前記食器類に洗浄水を噴射する洗浄ノズルと、前記洗浄ノズルに洗浄水を圧送する洗浄ポンプと、洗浄水の温水化及び前記食器類の乾燥を行うためのヒータと、前記洗浄槽内の洗浄水を機外に排出するための排水ポンプと、前記排水ポンプの吐出側に接続される排水ホースとを備え、前記排水ホースを内側が耐油性が高く且つ薄い樹脂製で、外側がある程度の肉厚のある弾性を有するエラストマー製の２層から成る構成としたことにより、フレキシブル性を損なうことなく、耐油性が向上した排水ホースを有し、サラダ油等による酸化劣化による排水ホースの破れ等の発生がなく耐久性を向上させた食器洗い機を実現することができる。
【００１２】
（実施の形態１）
図１は本発明の実施の形態１における食器洗い機の側断面図、図２は同食器洗い機の排水ホースの断面斜視図である。図１において、洗浄槽１は上方に開口部２を有し、この開口部２を内ブタ３により開閉するとともに、内部に洗浄水等を噴射する洗浄ノズル４が回転自在に設けられており、洗浄槽１内に食器類５を収納する食器かご６が配置されている。食器類５を食器かご６にセットし、洗剤を投入し運転を開始すると、所定の水位まで洗浄水が洗浄槽１内に給水され、所定水位に達すると給水が停止し、洗浄ポンプ８、ヒータ７に通電され、洗浄水は加熱されながら洗浄ノズル４から食器類５に向け噴射され、食器類５の洗浄を行う構成である。
【００１３】
また、洗浄槽１の外底部には、洗浄水を機外に排出する排水ポンプ９が設けられ、排水ポンプ９の吐出側には洗浄水等を機外に排出する為に排水ホース１０が接続されている。洗浄槽１の前側面に洗浄槽１内に外気を取り込むとともに洗浄槽１内の空気を排気口１３より機外に排出する送風ファン１２が設けられている。また、ヒータ７、洗浄ポンプ８、排水ポンプ９等の制御等を行って、洗浄工程、すすぎ工程、乾燥工程等の各工程を実行させる制御装置１１が備えられている。
【００１４】
図２を用いて、排水ホース１０の構成について述べる。排水ホース１０は、内層１０ａはサラダ油等に対する耐油性が高く且つ厚さは薄い樹脂製で、外層１０ｂは内層１０ａの厚さより厚くある程度厚さのある弾性を有するエラストマー製の２層から成る構造としてある。内層１０ａの樹脂材料としては、例えばポリエチレン、ポリプロピレン、フッ素樹脂、シリコン樹脂が適用可能である。
【００１５】
以上のように構成した食器洗い機について、その動作、作用を説明する。食器類５を洗浄槽１の開口部２から食器かご６にセットし、洗剤を投入して運転を開始すると、まず、洗浄槽１内に給水が行われ、所定水位に達すると給水が停止し、洗浄槽１内に所定量の水が貯留されると、洗浄工程が実行される。
【００１６】
洗浄槽１内の洗浄水は、ヒータ７によって加熱され、洗浄ポンプ８により加圧されて洗浄ノズル４に送られ、洗浄ノズル４から食器類５に向けて噴射される。噴射された洗浄水は、食器類５を洗浄した後、再び洗浄槽１内に戻るという経路で循環する。この動作を所定時間行って洗浄工程が終了する。洗浄工程が終了すると排水ポンプ９に通電され、洗浄水は排水ホース１０を介して機外に排出される。
【００１７】
次に新たに洗浄水が給水され、洗浄工程と同様の動作で食器類５のすすぎを行うすすぎ工程が行われる。冷水によるすすぎと排水を３回程度繰り返した後、ヒータ７に通電しつつすすぎを行う加熱すすぎを行い、すすぎ工程を終了する。このすすぎ工程が終了すると排水ポンプ９に通電され、すすぎ水が機外に排出される。
【００１８】
次に送風ファン１２を運転しながらヒータ７を断続通電し、洗浄槽１内の湿気を含んだ空気を排気口１３より機外に排出し食器類５の乾燥が行われ、この乾燥工程が終了すると、食器洗いを完了する。
【００１９】
以上のように、洗浄工程終了時、すすぎ工程中およびすすぎ工程終了時に、洗浄水もしくはすすぎ水が排水ホースを通じて機外に排出されるが、洗浄水もしくはすすぎ水の全てが排出されるわけではなく、一部は残水として排水ポンプや排水ホースの中に残る。サラダ油等が多量に付着した食器類を頻繁に洗う家庭においては、この残水にサラダ油等が含まれる場合もあるが、本発明によれば、排水ホースの内側はサラダ油等に対する耐油性が強い樹脂で構成されている為、このような条件下で長期間使用されてもサラダ油等による酸化劣化による排水ホースに破れが発生することはなく、また外側はある程度の肉厚のある弾性を有するエラストマー製で構成されている為、排水ホースにとって必要な機能であるフレキシブル性を損なうこともなく、耐久性を向上させた食器洗い機を実現することができる。
【産業上の利用可能性】
【００２０】
以上のように、本発明にかかる食器洗い機は、フレキシブル性を損なうことなく排水ホースのサラダ油等に対する耐油性を向上させることができる為、排水ホースを有する食器洗い機等として有用である。
【符号の説明】
【００２１】
１  洗浄槽
４  洗浄ノズル
５  食器類
７  ヒータ
８  洗浄ポンプ
９  排水ポンプ
１０  排水ホース
１１  制御装置
【図１】
2012019974.tif 000003
【図２】
2012019974.tif 000004
【図３】
2012019974.tif 000005